(57)【要約】【課題】画像ファイル６６の画像調整及びその効果の確認を容易にする画像処理装置１を提供する。【解決手段】ネットワーク３にＷｅｂサーバ２を接続して画像ファイル６６の画像調整をＷｅｂページ１０１で行えるようにした。即ち、画像処理装置１によって画像ファイル６６のサムネイル画像ファイル６７を生成して、ユーザ端末４のＷｅｂページ１０１にサムネイル画像１０２及び画像調整項目１０６を表示し、画像調整項目１０６の変更内容をＷｅｂページ１０１に表示するサムネイル画像１０２に対して行い、そして、画像調整の効果を確認のため画像ファイル６６をダウンロードできるようにした。【選択図】図１
2017084192.tif 000002
【特許請求の範囲】
【請求項１】
原稿の画像を読取って画像ファイルを生成するとともに前記画像ファイルのサムネイル画像ファイルを生成する画像処理装置と、
ＷｅｂブラウザによりＷｅｂページを表示することにより、第１の画像調整を行うユーザ端末と、
前記サムネイル画像ファイルを記憶するＷｅｂサーバと、
前記画像処理装置、前記ユーザ端末及び前記Ｗｅｂサーバを接続するネットワークからなり、
前記Ｗｅｂサーバは、前記Ｗｅｂページに表示する前記サムネイル画像ファイルのサムネイル画像及び画像調整項目を前記ユーザ端末に送信し、
前記ユーザ端末は、前記Ｗｅｂサーバから送信される前記サムネイル画像及び前記画像調整項目を前記Ｗｅｂページに表示することにより前記第１の画像調整を可能とすることを特徴とする画像処理システム。
【請求項２】
前記Ｗｅｂサーバは、前記ユーザ端末により前記第１の画像調整が行われたとき、前記画像調整項目の変更内容に基づいて、前記Ｗｅｂサーバに記憶した前記サムネイル画像ファイルの内容を更新することを特徴とする請求項１記載の画像処理システム。
【請求項３】
前記画像処理装置が生成する前記画像ファイルを格納するファイルサーバを前記ネットワークに接続し、
前記ファイルサーバは、前記ユーザ端末により前記第１の画像調整が行われたとき、前記画像調整項目の前記変更内容に基づいて、前記ファイルサーバに格納した前記画像ファイルの内容を更新することを特徴とする請求項２記載の画像処理システム。
【請求項４】
前記画像処理装置は、生成した前記画像ファイル及び前記サムネイル画像ファイルを記憶する画像記憶部を有し、
前記ユーザ端末により前記第１の画像調整が行われたとき、前記画像調整項目の前記変更内容に基づいて、第２の画像調整を実行し、前記画像ファイル及び前記サムネイル画像ファイルを生成することを特徴とする請求項３記載の画像処理システム。
【請求項５】
前記画像処理装置は、前記第２の画像調整が実行された後、前記画像ファイルを前記ファイルサーバに送信し、前記サムネイル画像ファイルを前記Ｗｅｂサーバに送信することを特徴とする請求項４記載の画像処理システム。
【請求項６】
前記Ｗｅｂサーバは、前記ユーザ端末により前記第１の画像調整が行われたとき、前記画像調整項目の前記変更内容を含んだ画像調整コマンドを作成し、画像処理装置に対して送信し、
前記画像処理装置は、受信した前記画像調整コマンドの前記画像調整項目についての前記変更内容に基づいて、前記第２の画像調整を実行することを特徴とする請求項４記載の画像処理システム。
【請求項７】
前記ユーザ端末は、前記Ｗｅｂページにプレビューボタンを表示し、
前記ユーザ端末により前記第１の画像調整が行われた後、前記プレビューボタンの押下があると、前記Ｗｅｂサーバから送信される更新後の前記サムネイル画像ファイルを前記Ｗｅｂページに再表示することを特徴とする請求項５記載の画像処理システム。
【請求項８】
前記ユーザ端末は、前記Ｗｅｂページにダウンロードボタンを表示し、
前記ユーザ端末により前記第１の画像調整が行われた後、前記ダウンロードボタンの押下があると、前記ファイルサーバから送信される更新後の前記画像ファイルを受信することを特徴とする請求項５記載の画像処理システム。
【請求項９】
原稿画像を読取った元画像データから元画像ファイルを生成する読取部と、
画像調整項目の設定内容に基づいて前記元画像ファイルを第２の画像調整を行って中間画像ファイルを生成する画像調整部と、
前記中間画像ファイルから画像ファイルを生成する画像ファイル生成部と、
前記中間画像ファイルからサムネイル画像ファイルを生成するサムネイル画像ファイル生成部と、
前記画像ファイルを格納させるファイルサーバと、前記サムネイル画像ファイルを格納させるＷｅｂサーバと、ＷｅｂブラウザのＷｅｂページに前記サムネイル画像ファイルのサムネイル画像とともに前記画像調整項目の設定内容を変更可能に表示させるユーザ端末とネットワークを介して通信を行うネットワーク通信部を備え、
前記画像調整部は、ユーザ端末による前記画像調整項目の変更内容に基づいて、前記元画像ファイルに対して前記第２の画像調整を行い、
前記ネットワーク通信部は、前記第２の画像調整を行った前記画像ファイルを前記ファイルサーバに送信し、前記第２の画像調整を行った前記サムネイル画像ファイルを前記Ｗｅｂサーバに送信することにより、
前記ユーザ端末によって、前記サムネイル画像に基づく第１の画像調整を可能としたことを特徴とする画像処理装置。
【請求項１０】
前記ネットワーク通信部は、
前記ユーザ端末により前記第１の画像調整が行われたときに、前記Ｗｅｂサーバにより作成された前記画像調整項目の前記変更内容を含んだ画像調整コマンドを受信し、
前記画像調整部は、
受信した前記画像調整コマンドの前記画像調整項目についての前記変更内容に基づいて、第２の画像調整を実行することを特徴とする請求項１０記載の画像処理装置。
【請求項１１】
原稿の画像を読取って画像ファイルを生成するとともに前記画像ファイルのサムネイル画像ファイルを生成する画像処理装置と、前記画像ファイルを格納するファイルサーバと、Ｗｅｂブラウザによって前記サムネイル画像ファイルのサムネイル画像及び画像調整項目をＷｅｂページに表示するユーザ端末と、ネットワークを介して通信を行うネットワーク通信部と、
前記画像処理装置によって生成される前記サムネイル画像ファイルを記憶する画像記憶部と、
前記ユーザ端末の前記Ｗｅｂブラウザに、前記画像記憶部に記憶された前記サムネイル画像ファイルの前記サムネイル画像とともに前記画像調整項目の設定内容を変更可能に表示させるために前記ユーザ端末に送信するＷｅｂサーバ部と、
前記ユーザ端末の前記Ｗｅｂブラウザに表示させた前記Ｗｅｂページによって変更された前記画像調整項目の変更内容に基づいて画像調整コマンドを生成する画像調整コマンド生成部と、
前記画像調整コマンドを前記画像処理装に送信して、前記変更内容に基づいて前記画像ファイル及びサムネイル画像ファイルを第２の画像調整を実行させて更新させる画像ファイル更新部と、を備えたことを特徴とするＷｅｂサーバ。
【請求項１２】
前記Ｗｅｂページにより変更した前記画像調整項目の変更内容を前記Ｗｅｂページの前記サムネイル画像に反映させるサムネイル画像調整部を備え、
前記Ｗｅｂページにより前記画像調整項目の設定内容を変更するごとに、前記サムネイル画像調整部により、前記サムネイル画像を直接に第２の画像調整を実行するようにしたことを特徴とする請求項１１記載のＷｅｂサーバ。
【発明の詳細な説明】
【技術分野】
【０００１】
本発明は、画像を読取って画像処理を行う画像処理システム及び画像処理装置に関するものである。
【背景技術】
【０００２】
一般に、デジタル複合機、複合プリンタと呼ばれるＭＦＰ（Multi Function Peripheral / Printer）としての画像処理装置及びこれを用いた画像処理システムでは、スキャナで画像を読取って生成した画像ファイルをファイルサーバに格納し、共有ファイルとして使用する。この画像ファイルは、画像処理装置の操作部から所望とする画像ファイルを選択し、印刷したり、電子メールに添付して送信したり、ファクシミリ送信することができる（例えば、特開２０１５−１１９３０１号公報（特許文献１）参照）。
【先行技術文献】
【特許文献】
【０００３】
【特許文献１】特開２０１５−１１９３０１号公報
【発明の概要】
【発明が解決しようとする課題】
【０００４】
しかしながら、従来の構成の画像処理装置及び画像処理システムでは、スキャナで読取って生成した画像ファイルに任意の画像調整を行ってから使用する場合、一旦、クライアントＰＣに画像ファイルをダウンロードしてから専用ソフトで画像調整を行い、ファイルサーバ等に格納する必要がある。このため、画像調整、その効果の確認及びダウンロードの操作が複雑で時間かかるという問題があった。
本発明は、このような問題を解決することを課題とし、読取って生成した画像ファイルの画像調整、その効果の確認及びダウンロードを容易にする画像処理装置及び画像処理システムを提供することを目的とする。
【課題を解決するための手段】
【０００５】
上記課題を解決するために本発明に関する請求項１記載の画像処理システムは、原稿の画像を読取って画像ファイルを生成するとともに前記画像ファイルのサムネイル画像ファイルを生成する画像処理装置と、ＷｅｂブラウザによりＷｅｂページを表示することにより、第１の画像調整を行うユーザ端末と、前記サムネイル画像ファイルを記憶するＷｅｂサーバと、前記画像処理装置、前記ユーザ端末及び前記Ｗｅｂサーバを接続するネットワークからなり、前記Ｗｅｂサーバは、前記Ｗｅｂページに表示する前記サムネイル画像ファイルのサムネイル画像及び画像調整項目を前記ユーザ端末に送信し、前記ユーザ端末は、前記Ｗｅｂサーバから送信される前記サムネイル画像及び前記画像調整項目を前記Ｗｅｂページに表示することにより前記第１の画像調整を可能とすることを特徴とするものである。
【０００６】
更に、本発明に関する画像処理システムは、前記Ｗｅｂサーバは、前記ユーザ端末により前記第１の画像調整が行われたとき、前記画像調整項目の変更内容に基づいて、前記Ｗｅｂサーバに記憶した前記サムネイル画像ファイルの内容を更新することとしてもよい。これにより、ユーザ端末のＷｅｂページの「プレビュー」ボタンを設けることにより、サムネイル画像により前記第１の画像調整の効果の確認を行なうことができる。
【０００７】
更に、本発明に関する画像処理システムは、前記画像処理装置が生成する前記画像ファイルを格納するファイルサーバを前記ネットワークに接続し、ファイルサーバは、前記ユーザ端末により前記第１の画像調整が行われたとき、前記画像調整項目の前記変更内容に基づいて、前記ファイルサーバに格納した前記画像ファイルの内容を更新することとしてもよい。このようにすることにより、ファイルサーバから容易に前記画像調整項目の前記変更内容に基づいて、画像ファイルをダウンロードすることができ、画像ファイルにより第１の画像調整の効果を確認することができる。
【発明の効果】
【０００８】
本発明によれば、前記Ｗｅｂサーバは、前記Ｗｅｂページに表示する前記サムネイル画像ファイルのサムネイル画像及び画像調整項目を前記ユーザ端末に送信し、前記ユーザ端末は、前記Ｗｅｂサーバから送信される前記サムネイル画像及び前記画像調整項目を前記Ｗｅｂページに表示することとしたので、第１の画像調整の都度、ユーザ端末に画像ファイルをダウンロードする必要がなく、ユーザ端末から簡単に第１の画像調整が可能となる。
また、ユーザ端末のＷｅｂページの「プレビュー」ボタンを設けることにより、第１の画像調整時にサムネイル画像により第１の画像調整の効果の確認を行なうことができるとともに、第１の画像調整後には画像ファイルをダウンロードすることができ、画像ファイルにより第１の画像調整の効果を確認することができる。また、同時に、サムネイル画像を利用して第１の画像調整を行うことにより、画像処理装置及び画像処理システムのネットワーク負荷も少なくすることができる。
【図面の簡単な説明】
【０００９】
【図１】第１の実施の形態に関する画像処理システムの構成を示す構成図である。
【図２】第１の実施の形態に関する画像処理装置の構成を説明するブロック図である。
【図３】第１の実施の形態に関するＷｅｂサーバの構成を説明するブロック図である。
【図４】第１の実施の形態に関するユーザ端末の構成を説明するブロック図である。
【図５】第１の実施の形態に関するファイルサーバの構成を説明するブロック図である。
【図６】第１の実施の形態に関するＥメールサーバの構成を説明するブロック図である。
【図７】第１の実施の形態に関する画像処理装置の操作部の構成を説明する正面図である。
【図８】第１の実施の形態に関する画像処理装置の画像ファイル格納先指定画面を示す説明図である。
【図９】第１の実施の形態に関する画像処理システムにおけるデータフローを示すデータフロー図である。
【図１０】第１の実施の形態に関する画像処理装置から送信されるＥメールの画面を示す説明図である。
【図１１】第１の実施の形態に関するユーザ端末の操作部に表示されるＷｅｂページの画面を示す説明図である。
【図１２】第１の実施の形態に関する画像処理装置で管理する画像ファイルリストを示す説明図である。
【図１３】第１の実施の形態に関するＷｅｂサーバで管理する画像ファイル格納先リストを示す説明図である。
【図１４】第１の実施の形態に関するＷｅｂサーバの画像調整コマンドを示す説明図である。
【図１５】第１の実施の形態に関する画像処理装置におけるファイル送信処理を示すフローチャートである。
【図１６】第１の実施の形態に関する画像処理装置における画像調整処理を示すフローチャートである。
【図１７】第１の実施の形態に関するＷｅｂサーバにおける画像調整処理を示すフローチャートである。
【図１８】第１の実施の形態に関する画像処理システムにおける画像ファイルのプレビュー処理を示すフローチャートである。
【図１９】第１の実施の形態に関する画像処理システムにおける画像ファイルのダウンロード処理を示すフローチャートである。
【図２０】第１の実施の形態に関する画像処理システムにおける画像調整を伴う画像ファイルのダウンロード処理を示すフローチャートである。
【発明を実施するための形態】
【００１０】
（第１の実施の形態）
以下に本発明を実施するための最良の形態である第１の実施の形態を説明する。各図面に共通な要素には同一の符号を付す。以下、第１の実施の形態の画像処理装置及び画像処理システムの構成を説明する。
【００１１】
最初に、第１の実施の形態に関する画像処理システムの構成を説明する。図１は、第１の実施の形態に関する画像処理システムの構成を示す構成図である。第１の実施の形態に関する画像処理システム１０００は、画像処理装置１、ユーザ端末４、画像ファイルを格納するファイルサーバ５が、ＬＡＮ（Loca1 Area Network）３ａによって接続される構成となっている。
ユーザ端末４は、ＰＣ（Personal Computer）４ａ又はモバイルＰＣ４ｂ等からなる。ＬＡＮ３ａには無線ネットワークの中継機であるアクセスポイント８も接続することができる。
【００１２】
また、画像処理装置１は、図示しないファクシミリ装置とのファクシミリ通信又は音声電話を行うため電話回線３ｄが接続可能となっている。ＬＡＮ３ａは、オフィス内の小規模ネットワークであり、ファイアウォールなどを介してインターネット３ｘに接続されている。
更に、第１の実施の形態に関する画像処理システム１０００は、画像処理装置１等がインターネット３ｘを介して、Ｅメールサーバ６、Ｗｅｂサーバ２に接続される構成となっている。
また、モバイルＰＣ４ｂも無線ＬＡＮ３ｗによりアクセスポイント８を介してＬＡＮ３ａ及びインターネット３ｘに接続可能となっている。尚、インターネット３ｘは、イントラネット等の企業内ネットワークでもよい。以下、ＬＡＮ３ａ、無線ＬＡＮ３ｗ、インターネット３ｘを総称して単に「ネットワーク３」という。
【００１３】
画像処理装置１は、原稿の画像を読取る読取機能を有するとともに、コピー、印刷、ファクシミリ、Ｅメール送信、ファイル送信等の機能を備えた複合機である。
Ｗｅｂサーバ２は、記憶したＨＴＭＬ形式の文書又は画像からなるＷｅｂページデータを、ユーザ端末４のＷｅｂブラウザからの要求に応じてインターネット３ｘを介してユーザ端末４に送信するサーバである。また、Ｗｅｂサーバ２は、後述するサムネイル画像ファイル６７を記憶する画像記憶部２３０を有する。
ユーザ端末４は、主にＯＡ用途として文書作成ソフトウェア、Ｅメールソフトウェア、スキャニングソフトウェア、Ｗｅｂブラウザ１００、プリンタードライバ等がインストールされた端末である。本実施の形態に関してユーザ端末４は、Ｗｅｂブラウザ１００により後述するＷｅｂページ１０１を表示するＷｅｂブラウザ処理部３２１を有する。
【００１４】
モバイルＰＣ４ｂは、ノートＰＣ、ＰＤＡ（ Personal Digital Assistant）等の携帯情報端末のように、携帯して利用できる端末である。ネットワークを介して情報のやりとりをするのが主な目的の端末であり、無線ＬＡＮ３ｗによりアクセスポイント８に接続可能な範囲であればインターネット３ｘに接続することができる。
ファイルサーバ５は、共有目的の後述する画像ファイル６６ｂを格納するサーバである。本実施の形態に関して、ファイルサーバ５は、画像処理装置１によって読取った元画像データ６１を後述する所定の設定により第２の画像調整を実行した画像ファイル６６ａを、画像ファイル６６ｂとして格納する画像格納部４３を有する。通信プロトコルとしては、ＦＴＰ（File Transfer Protocol）、ＨＴＴＰ（Hypertext Transfer Protocol）、ＣＩＦＳ（Common Internet File System）等を用いるのが一般的である。
Ｅメールサーバ６は、Ｅメールの送信、受信を中継するサーバである。通信プロトコルとしては、ＳＭＴＰ（Simple Mail Transfer Protocol）、ＰＯＰ(Post Office Protocol)等等を用いるのが一般的である。
【００１５】
次に、第１の実施の形態に関する画像処理装置１の構成を説明する。図２は、第１の実施の形態に関する画像処理装置の構成を説明するブロック図である。画像処理装置１は、後述するように、原稿の画像を読取って画像ファイル６６を生成するとともに画像ファイル６６のサムネイル画像ファイル６７を生成するものである。画像処理装置１の操作部１０は、ユーザが画像処理装置１の各種機能を実行する操作及びメニューを変更する操作、更には装置状況を確認するなどのユーザインターフェイス手段を備える。操作部１０の詳細は、後に図７を用いて説明する。
揮発性の半導体であるＲＡＭ１１（Random Access Memory）は、電源を切るとデータが消去される特性があるが、アクセス速度が高速であるという利点がある。このため、ＲＡＭ１１は頻繁に読み書きを行うデータの記憶及び実行プログラムの記憶などに使用される。
【００１６】
ＣＰＵ１２（Central Processing unit）は、各種データに演算などの処理を加えて結果を出力する演算処理装置である。このＣＰＵ１２により実行される機能ブロックは、装置制御部１２０、画像調整部１２１、画像ファイル生成部１２２、画像ファイル削除部１２３、サムネイル画像ファイル生成部１２４、Ｅメール生成部１２５及び画像調整コマンド解析部１２６から構成される。
装置制御部１２０は、上記画像調整部１２１等の各部及び画像処理装置１の全システムの制御を行う。
画像調整部１２１は、後述する読取部１５によって読取られ画像記憶部１４０に記憶された元画像ファイル６１に対して、濃度調整、カラー・モノクロ変換、解像度調整などの画像処理を行う複数の処理部を備える。
【００１７】
画像ファイル生成部１２２は、画像調整部１２１によって第２の画像調整が行われた中間画像ファイル６５を汎用の画像閲覧・編集ソフトウェアで閲覧、編集可能な形式に変換した画像ファイル６６ａを生成する。画像ファイル６６ａのデータ形式としては、例えば、ＰＤＦ（Portable Document Format）、ＪＰＥＧ（Joint photographic Expert Group）、ＴＩＦＦ（Tagged lmage File Format）等が一般的である。
画像ファイル削除部１２３は、ユーザの削除操作によりファイルサーバ５の指定されたフォルダに格納されている画像ファイル６６ｂを削除するものである。
【００１８】
サムネイル画像ファイル生成部１２４は、画像調整部１２１によって第２の画像調整が行われた中間画像ファイル６５を汎用の画像管理ソフトウェアで閲覧可能になるようにイメージを縮小した後述するサムネイル画像ファイル６７ａを生成する。データ形式としては、例えば、ＪＰＥＧ、ＧＩＦ等が一般的である。
Ｅメール生成部１２５は、後に図１０で示すあらかじめ決められた文書フォーマットに、指定されたユーザ端末４のＥメールアドレスを送信先とし、画像ファイルをダウンロードできるＵＲＬ（以下、「ダウンロードＵＲＬ９２」という）を添付したＥメール９０を生成する。
画像調整コマンド解析部１２６は、後に図１４で示す画像調整コマンド１１０を受信するとコマンドの解析処理を行う。この画像調整コマンド１１０は、Ｗｅｂページ上で濃度、解像度、カラー／グレースケール／モノクロ等の各画像調整項目１０６の設定内容を変更すると、Ｗｅｂサーバ２から画像処理装置１に送信されるコマンドである。
【００１９】
記憶部１４は、例えば、不揮発性の半導体メモリや、ハードディスク装置などにより構成される。記憶部１４は、画像記憶部１４０、Ｅメールアドレス記憶部１４１、サーバアドレス記憶部１４２及び画像ファイルリスト記憶部１４３を備える。
画像記憶部１４０は、読取部１５によって読取られた画像を元画像ファイル６１として記憶する。更に、画像記憶部１４０は、画像ファイル生成部１２２により生成された画像ファイル６６ａ及びサムネイル画像ファイル生成部１２４により生成されたサムネイル画像ファイル６７ａを記憶する。
Ｅメールアドレス記憶部１４１は、ユーザ端末４にダウンロードＵＲＬ９２を通知する際のＥメールの送信先アドレス等の情報を記憶する。
サーバアドレス記憶部１４２は、ファイルサーバ５のアドレス及びＷｅｂサーバ２のＵＲＬ等を記憶する。
画像ファイルリスト記憶部１４３は、後に図１２で示す画像ファイルリスト１４３Ｌを記憶する。
【００２０】
読取部１５は、原稿台ガラス面又はＡＤＦ（Auto Document Feeder）にセットされた原稿を光学的に読取り、読取った元画像データを元画像ファイル６１として画像記憶部１４０に格納する機能を有する。
印刷部１６は、ＬＡＮ３ａを介して送信されてくるユーザ端末４で作成された文書データの印刷、更にはコピーのために画像ファイル６６ａを紙等の媒体に印刷する機能を有する。また、印刷部１６は、操作部１０から印刷指示する画像処理装置１のシステム設定リストなどを印刷する機能も有する。
ファクシミリ通信部１７は、電話回線３ｄを介して公衆電話網に接続されている他のファクシミリ装置とファクシミリ送受信を行う機能を有する。
ネットワーク通信部１８は、ファイルサーバ５への画像ファイル６６ａの転送及び送信、Ｅメールサーバ６へのＥメール送信、Ｗｅｂサーバ２へのサムネイル画像ファイル６７ａの転送及び送信を行う機能を有する。更に、ネットワーク通信部１８は、画像調整コマンド１１０の受信を行う際などにＬＡＮ３ａによりデータの送受信を行う機能を有する。以上の各部が画像処理装置１の内部バス１２ａにより接続された構成となっている。
【００２１】
次に、第１の実施の形態に関するＷｅｂサーバ２の構成を説明する。図３は、第１の実施の形態に関するＷｅｂサーバの構成を説明するブロック図である。Ｗｅｂサーバ２は、サムネイル画像ファイル６７を記憶するとともに、ユーザ端末４における第１の画像調整を可能とするためにＷｅｂページ１０１にＷｅｂページデータを送信する。Ｗｅｂサーバ２の操作部２０は、表示手段と入力手段から構成される。そして、入力手段としてキーボード、マウス等の入力装置、表示手段としてＬＣＤディスプレイ等の表示装置を有する。この操作部２０は、主として、保守の際に使用される。
揮発性の半導体であるＲＡＭ２１は、電源を切るとデータが消去される特性があるが、アクセス速度が高速であるという利点がある。このため、ＲＡＭ２１は頻繁に読み書きを行うデータの記憶及び実行プログラムの記憶などに使用される。
ＣＰＵ２２は、各種データに演算などの処理を加えて結果を出力する演算処理装置である。このＣＰＵ２２により実行される機能ブロックは、制御部２２０、Ｗｅｂサーバ部２２１、サムネイル画像調整部２２２、画像ファイル更新部２２３及び画像調整コマンド生成部２２４から構成される。
【００２２】
制御部２２０は、上記Ｗｅｂサーバ部２２１等の各部を制御する。Ｗｅｂサーバ部２２１は、後述するＷｅｂページデータ記憶部２３３に記憶したＨＴＭＬ形式の文書又は画像からなるＷｅｂページデータを、ユーザ端末４のＷｅｂブラウザ１００からの要求に応じてＬＡＮ３ｃ、インターネット３ｘを介してユーザ端末４に送信する。Ｗｅｂページデータの作成には必要に応じてＪａｖａ（登録商標）などのプログラムが用いられる。
Ｗｅｂサーバ部２２１は、更に画像処理装置１のアドレスなどの装置情報を確認する機能、ファイルサーバ５に格納された画像ファイル６６ｂのダウンロード及び閲覧等を行う機能を有する。
サムネイル画像調整部２２２は、第１の画像調整時にユーザが、後に図１１で示すＷｅｂページ１０１上で濃度、解像度、カラー／モノクロ／グレースケールなどの画像調整項目１０６の設定内容を変更すると、その変更内容をＷｅｂページ１０１上のサムネイル画像１０２に反映させる機能を有する。
【００２３】
画像ファイル更新部２２３は、画像調整コマンド生成部２２４によって生成した画像調整コマンド１１０をネットワーク通信部２４を介して画像処理装置１に送信し、画像処理装置１に画像ファイル６６ａ及びサムネイル画像ファイル６７ａを第２の画像調整させる機能を有する。更に、画像ファイル更新部２２３は、第２の画像調整後のサムネイル画像ファイル６７ａと既存の第２の画像調整前のサムネイル画像ファイル６７ｂを入れ替えて更新する機能を有する。
画像調整コマンド生成部２２４は、ユーザが図１１に示すＷｅｂページ１０１上で画像調整項目１０６の設定内容を変更すると、その画像調整項目１０６の変更内容に基づいた画像調整コマンド１１０を生成する機能を有する。
【００２４】
記憶部２３は、例えば、不揮発性の半導体メモリ、ハードディスク装置などにより構成される。記憶部２３は、画像記憶部２３０、サーバ情報記憶部２３１、装置情報記憶部２３２、Ｗｅｂページデータ記憶部２３３及び画像ファイルリスト記憶部２３４を有する。
画像記憶部２３０は、サムネイル画像ファイル６７ｂを記憶する記憶領域である。
サーバ情報記憶部２３１は、画像ファイル６６ｂが格納されているファイルサーバ５のアドレス及びフォルダ名６８−１等を記憶する。
装置情報記憶部２３２は、画像処理装置１のアドレス情報などの装置情報を記憶する。
Ｗｅｂページデータ記憶部２３３は、図１１に示すＷｅｂページ１０１等のＷｅｂページデータを記憶する。即ち、Ｗｅｂページデータは、図１１に示すようにサムネイル画像１０２、「ダウンロード」ボタン１０３、「プレビュー」ボタン１０４を含む。更に、濃度、解像度、カラー／グレースケール／モノクロ、ファイル形式等の画像調整項目１０６とその設定内容の表示欄１０５を含むものである。
【００２５】
画像ファイルリスト記憶部２３４は、後に図１２で示す画像ファイルリスト１４３Ｌを記憶する。
ネットワーク通信部２４は、ＬＡＮ３ｃを介して、画像処理装置１及びユーザ端末４等との通信を行う機能を有する。通信プロトコルとしては、例えば、図１１に示すＷｅｂページ１０１をユーザ端末４で閲覧する場合は、ＨＴＴＰ（Hypertext Transfer Protocol）等が用いられる。以上の各部は、Ｗｅｂサーバ２の内部バス２２ａにより接続された構成となっている。
【００２６】
次に、第１の実施の形態に関するユーザ端末４の構成を説明する。図４は、第１の実施の形態に関するユーザ端末の構成を説明するブロック図である。ユーザ端末４は、後述するＷｅｂブラウザ１００によるＷｅｂページ１０１にサムネイル画像１０２を表示することにより、第１の画像調整を可能とするものである。ユーザ端末４の操作部３０は、表示手段と入力手段から構成される。入力手段としてキーボード、マウス等の入力装置、表示手段としてＬＣＤディスプレイ等の表示装置を有する。
揮発性の半導体であるＲＡＭ３１は、電源を切るとデータが消去される特性があるが、アクセス速度が高速であるという利点がある。このため、ＲＡＭ３１は頻繁に読み書きを行うデータの記憶及び実行プログラムの記憶などに使用される。
【００２７】
ＣＰＵ３２は、各種データに演算などの処理を加えて結果を出力する演算処理装置である。ＣＰＵ３２により実行される機能ブロックは、制御部３２０、Ｗｅｂブラウザ処理部３２１、プレビュー実行部３２２、画像ファイルダウンロード実行部３２３及びＥメール送受信処理部３２４から構成される。制御部３２０は、上記Ｗｅｂブラウザ処理部３２１等の各部を制御する。
Ｗｅｂブラウザ処理部３２１は、後に図１０で示すＥメール９０に添付されたダウンロードＵＲＬ９２をクリックすることにより、後に図１１で示すＷｅｂブラウザ１００を起動し、Ｗｅｂサーバ２からのＷｅｂページを表示する。
【００２８】
プレビュー実行部３２２は、Ｗｅｂブラウザ１００に表示されたＷｅｂページ１０１において、ユーザが第１の画像調整を実行した画像ファイル６６ｂプレビューを選択したときにＷｅｂサーバ２にプレビュー要求を送信する。
画像ファイルダウンロード実行部３２３は、Ｗｅｂブラウザ１００に表示されたＷｅｂページ１０１において、ユーザが画像ファイル６６ｂのダウンロードを選択したときにファイルサーバ５に画像ファイルダウンロード要求を送信する。更に、画像ファイルダウンロード実行部３２３は、ファイルサーバ５から送信されてくる画像ファイル６６ｂをダウンロードファイルとして取得する機能を有する。
Ｅメール送受信処理部３２４は、原稿を読取ったときに画像処理装置１から送信されてくる図１０に示すＥメール９０を受信し、操作部３０の表示装置に表示する機能を有する。また、Ｅメール送受信処理部３２４は、ユーザ端末４において作成したＥメールを他のユーザ端末４等に送信する機能も有する。
【００２９】
記憶部３３は、例えば、不揮発性の半導体メモリ、ハードディスク装置などにより構成される。記憶部３３には、文書作成ソフトウェア、Ｅメールソフトウェア、スキャニングソフトウェア、Ｗｅｂブラウザ、プリンタードライバ等がインストールされて記憶される。
ネットワーク通信部３４は、ＬＡＮ３ａを介して、画像処理装置１、ファイルサーバ５、Ｅメールサーバ６等との通信を行う機能を有する。無線通信機能を備えたモバイルＰＣ９のユーザ端末では、ネットワーク通信部３４は無線ＬＡＮ３ｗによる通信機能も有する。以上の各部は、ユーザ端末４の内部バス３２ａにより接続された構成となっている。
【００３０】
次に、第１の実施の形態に関するファイルサーバ５の構成を説明する。図５は、第１の実施の形態に関するファイルサーバの構成を説明するブロック図である。ファイルサーバ５は、画像処理装置１で生成した画像ファイル６６を格納するためのものである。ファイルサーバ５の操作部４０は、表示手段と入力手段から構成される。入力手段としてキーボード、マウス等の入力装置、表示手段としてＬＣＤディスプレイ等の表示装置を有する。この操作部４０は、主として、保守の際に使用される。
揮発性の半導体であるＲＡＭ４１は、電源を切るとデータが消去される特性があるが、アクセス速度が高速であるという利点がある。このため、ＲＡＭ４１は頻繁に読み書きを行うデータの記憶及び実行プログラムの記憶などに使用される。
ＣＰＵ４２は、各種データに演算などの処理を加えて結果を出力する演算処理装置である。このＣＰＵ４２により実行される機能ブロックは、制御部４２０、画像ファイルダウンロード処理部４２１、画像ファイル更新実行部４２２から構成される。
【００３１】
制御部４２０は、上記画像ファイルダウンロード処理部４２１等の各部を制御する。
画像ファイルダウンロード処理部４２１は、ネットワーク通信部４４を介してユーザ端末４から送信されてくる画像ファイルダウンロード要求に対し、画像格納部４３に格納されている画像ファイル６６ｂをユーザ端末４に送信する機能を有する。
画像ファイル更新実行部４２２は、ネットワーク通信部４４を介して画像処理装置１から送信される第２の画像調整後の画像ファイル６６ａを、画像格納部４３にすでに格納されている第２の画像調整前の画像ファイル６６ｂと入れ替えて更新する機能を有する。
【００３２】
画像格納部４３は、例えば、不揮発性の半導体メモリ、ハードディスク装置などにより構成される。画像格納部４３には、フォルダ６８ごとに画像ファイル６６ｂを格納する。画像処理装置１から送信されてくる画像ファイル６６ａは、後に図９で説明するように画像ファイル６６ｂとして画像格納部４３に格納される。
ネットワーク通信部４４は、ＬＡＮ３ａを介して、画像処理装置１及びユーザ端末４等との通信を行う機能を有する。以上の各部はファイルサーバ５の内部バス４２ａにより接続された構成となっている。
【００３３】
次に、第１の実施の形態に関するＥメールサーバ６の構成を説明する。図６は、第１の実施の形態に関するＥメールサーバの構成を説明するブロック図である。Ｅメールサーバ６の操作部５０は、表示手段と入力手段から構成される。入力手段としてキーボード、マウス等の入力装置、表示手段としてＬＣＤディスプレイ等の表示装置を有する。この操作部５０は、主として、保守の際に使用される。
揮発性の半導体であるＲＡＭ５１は、電源を切るとデータが消去される特性があるが、アクセス速度が高速であるという利点がある。このため、ＲＡＭ５１は頻繁に読み書きを行うデータの記憶及び実行プログラムの記憶などに使用される。
ＣＰＵ５２は、各種データに演算などの処理を加えて結果を出力する演算処理装置である。このＣＰＵ５２により実行される機能ブロックは、制御部５２０、Ｅメール受付処理部５２１、Ｅメール配信処理部５２２から構成される。
【００３４】
制御部５２０は、上記Ｅメール受付処理部５２１等の各部を制御する。
Ｅメール受付処理部５２１は、ネットワーク通信部５４を介して登録ユーザからＥメール用のデータパケット（以下、単に「Ｅメール」という）を受信すると、ユーザデータベース５３０に登録ユーザごとにＥメールを記憶する。登録ユーザは、Ｅメールサーバ６によってユーザ名、Ｅメールアドレス等があらかじめ登録される。
Ｅメール配信処理部５２２は、Ｅメール受付処理部５２１によって受付けられたＥメールを送信先として指定されたＥメールアドレスにネットワーク通信部５４を介して配信する機能を有する。
【００３５】
記憶部５３は、例えば、不揮発性の半導体メモリ、ハードディスク装置などにより構成される。記憶部５３には、登録ユーザから送信されてくるＥメールを記憶する前述のユーザデータベース５３０と、登録ユーザのＥメールアドレス等を記憶する登録ユーザメールアドレス格納部５３１からなる。
ネットワーク通信部５４は、ＬＡＮ３ｂを介して画像処理装置１及びユーザ端末４等との通信を行う機能を有する。以上の各部は、Ｅメールサーバ６の内部バス５２ａにより接続された構成となっている。
【００３６】
次に、第１の実施の形態に関する画像処理装置１の操作部１０の構成を説明する。図７は、第１の実施の形態に関する画像処理装置の操作部の構成を説明する正面図である。操作部１０は、モードボタン７０、ＬＣＤタッチパネル７１、テンキー７２及びモノクロ・カラースタートボタン７３を備える。
モードボタン７０は、画像処理装置１のそれぞれの機能を実行するためにモードを切り替える際に押下するもので、「コピー」ボタン、「ファクシミリ」ボタン、「スキャナ」ボタンなどを備える。
【００３７】
ＬＣＤタッチパネル７１は、各種設定を行うためのキー及び画像処理装置１の状態をグラフィカルに表示するとともに、ユーザが指でその画面上の任意のキーに触れることにより、ユーザが望む動作を指示することができる。
テンキー７２は、数字を入力するための専用のキーであり、数字の「０」から「９」までと、「＊」と、「＃」とが独立したキーに割当てられている
モノクロ・カラースタートキー７３は、コピーモード時における実行指示、スキャナモード時におけるファイル送信実行指示、及びファクシミリ送信指示を行うためのキーである。カラーとモノクロはそれぞれ独立したボタンとなっている。
【００３８】
次に、第１の実施の形態に関する画像処理装置１の操作部１０について、画像ファイル６６ａの格納先としてのファイルサーバ５及びフォルダを指定する画面を説明する。図８は、第１の実施の形態に関する画像処理装置の画像ファイル格納先指定画面を示す説明図である。
画像ファイル格納先指定画面８０は、原稿を読取る前又は読取られた後に操作部１０のＬＣＤタッチパネル７１に表示される。画像ファイル格納先指定画面８０は、画像ファイル６６ａを格納するファイルサーバ５のアドレス及びフォルダ名６８−１を指定させるガイダンス８１として「ファイル送信先のファイルサーバ及びフォルダを指定してください。」の表示と、ファイルサーバ５のアドレス及びフォルダ名６８−１を入力する入力欄８２から構成される。
ユーザは、入力欄８２にファイルサーバ５のアドレスとフォルダ名６８−１を入力する。尚、ファイルサーバ５のアドレス「Xxx.xxx.xx」及びフォルダ名６８−１の「folder」までをあらかじめ表示し、フォルダ名６８−１の「001」のみを操作部２のテンキー７２により入力させるようにしてもよい。
【００３９】
次に、第１の実施の形態に関する画像処理システム１０００における画像ファイル６６ａ、６６ｂ、サムネイル画像ファイル６７ａ、６７ｂのデータの流れを説明する。図９は、第１の実施の形態に関する画像処理システム１０００におけるデータの流れを示すデータフロー図である。
原稿６０は、ユーザが画像処理装置１によって画像ファイル６６ａを生成しようとする客体である。ユーザは、原稿６０を画像処理装置１の原稿台ガラス面又はＡＤＦにセットし、操作部１０のモノクロ・カラースタートキー７３により読取指示を行う。すると、読取部１５によって原稿６０の読取りが行われ、画像記憶部１４０に元画像ファイル６１として記憶される。元画像ファイル６１は、次のステップで第２の画像調整を行うためにカラー画像で最高解像度の画像として読取り生成され、記憶されている。画像データ形式は、例えば、１ｐｉｘｅｌが、ＲＧＢ各１バイトずつの３バイト単位の並びで構成されたＰａｃｋ形式等とする。
【００４０】
画像調整部１２１は、濃度調整処理部１２１ａ、カラー・モノクロ変換処理部１２１ｂ及び解像度調整処理部１２１ｃなどから構成される。
濃度調整処理部１２１ａは、元画像ファイル６１に対して濃度補正テーブルに従い、１ｐｉｘｃｅｌ毎に指定された濃度調整値に補正する。例えば、２５６段階の濃度範囲では、補正前の値を１００とすると、濃度を１増加させた場合は、１０５になり、濃度を１少なくすると、９０に設定される。
カラー・モノクロ変換処理部１２１ｂは、ＲＧＢカラーデータからなる元画像ファイル６１に対して、例えば、一般的に知られている手法として、単純平均法、加重平均法、中間値法などを用いて、モノクロ化する。
【００４１】
解像度調整処理部１２１ｃは、最高解像度で生成されている元画像ファイル６１に対して、指定された解像度に調整処理を施す。例えば、元データ３１が６００ｄｐｉ×６００ｄｐｉの画像データであり、指定された解像度が、２００ｄｐｉ×２００ｄｐｉとすると、データ量を１／９に落す処理となる。更に、データ量を間引きしただけでは「ジャギー」と称される画像の輪郭部に階段状の形状が発生するため、このジャギーを防ぐためにスムージング処理を行う。
中間画像ファイル６５は、元画像ファイル６１に対して、画像調整項目１０６のデフォルトの設定内容又はユーザにより設定される設定内容に基づいて画像調整部１２１により第２の画像調整を行って生成される中間的位置付けの画像ファイルである。
【００４２】
画像ファイル生成部１２２は、画像調整部１２１によって第２の画像調整が行われた中間画像ファイル６５を一般的な画像閲覧・編集ソフトウェアで閲覧、編集可能な形式に変換する。この閲覧、編集可能な形式としては、ＰＤＦ、ＪＰＥＧ又はＴＩＦＦ等が一般的である。
画像ファイル６６ａは、画像ファイル生成部１２２によって生成された画像ファイルである。この画像ファイル６６ａは、図８に示す画像ファイル格納先指定画面８０によって指定されたファイルサーバ５のフォルダ名６８−１のフォルダ６８にネットワーク通信部４４を介して画像ファイル６６ｂとして格納される。従って、画像ファイル６６ｂと画像ファイル６６ａは、同じ画像ファイル６６である。
【００４３】
サムネイル画像ファイル６７ａは、サムネイル画像ファイル生成部１２４によって生成されたＪＰＥＧ、ＧＩＦ等の形式で、Ｗｅｂページ１０１で表示するための小サイズの画像データファイルである。このサムネイル画像ファイル６７ａは、Ｗｅｂサーバ２のネットワーク通信部２４を介して、画像ファイル６６ｂのフォルダ名６８−１と同じフォルダ名６８−１で、Ｗｅｂサーバ２のフォルダ６９にサムネイル画像ファイル６７ｂとして格納される。従って、サムネイル画像ファイル６７ｂとサムネイル画像ファイル６７ａは、同じサムネイル画像ファイル６７である。
【００４４】
次に、第１の実施の形態に関する画像処理装置１から送信され、ユーザ端末４の操作部３０に表示されるＥメールの画面を説明する。図１０は、第１の実施の形態に関する画像処理装置から送信されるＥメールの画面を示す説明図である。
Ｅメール９０は、ユーザ端末４の操作部３０の表示装置に表示される。Ｅメール９０は、添付したダウンロードＵＲＬ９２のＷｅｂページ１０１から画像ファイル６６ｂをダウンロードできる旨のガイダンス９１としての「下記のＷｅｂページからスキャナで読込んだ画像をダウンロードできます。」の表示と、そのダウンロードＵＲＬ９２から構成される。ダウンロードＵＲＬ９２は、リンクメッセージとなっている。
【００４５】
ユーザは、ユーザ端末４の操作部３０によりダウンロードＵＲＬ９２をクリック又は選択すると、Ｗｅｂブラウザ１００が起動してＷｅｂサーバ２を呼び出し、図１１に示すＷｅｂページ１０１を表示することができる。
即ち、ダウンロードＵＲＬ９２は、Ｗｅｂサーバ２のＵＲＬと、画像ファイル６６ｂが格納されているファイルサーバ５のアドレス及びフォルダ名６８−１から構成される。このＷｅｂサーバ２のＵＲＬによりＷｅｂサーバ２に接続される。このとき、アドレス及びフォルダ名６８−１がパラメータとなって該当する画像ファイル６６ｂのサムネイル画像１０２及び画像調整項目１０６の設定内容が表示される。
【００４６】
次に、第１の実施の形態に関するユーザ端末４の操作部３０に表示されるＷｅｂページ１０１の画面を説明する。図１１は、第１の実施の形態に関するユーザ端末の操作部に表示されるＷｅｂページの画面を示す説明図である。
第１の画像調整時に、Ｗｅｂページ１０１は、Ｗｅｂサーバ２からＷｅｂページデータとして送信され、ユーザ端末４の操作部３０にＷｅｂブラウザ１００により表示される。Ｗｅｂページ１０１は、サムネイル画像１０２、「ダウンロード」ボタン１０３、「プレビュー」ボタン１０４を備える。更に、Ｗｅｂページ１０１は、濃度、解像度、カラー／グレースケール／モノクロ、ファイル形式等の画像調整項目１０６とその設定内容の表示欄１０５を備える。
サムネイル画像１０２は、Ｗｅｂページ１０１への表示用としてＷｅｂサーバ２の画像記憶部２３０に記憶されているサムネイル画像ファイル６７ｂに基づいて表示される。Ｗｅｂページ１０１として表示するため、データ形式はＪＰＥＧ、ＧＩＦなどが一般的である。
【００４７】
「ダウンロード」ボタン１０３は、ファイルサーバ５に格納されている画像ファイル６６ｂをユーザ端末４上にダウロードするためのボタンである。
「プレビュー」ボタン１０４は、第１の画像調整時にユーザにより変更された画像調整項目１０６の変更内容を反映させるためのボタンである。即ち、この変更内容は、ファイルサーバ５に格納されている画像ファイル６６ｂと、Ｗｅｂサーバ２に記憶されているサムネイル画像ファイル６７ｂに反映される。「プレビュー」ボタン１０４が押下されると、Ｗｅｂサーバ２から画像処理装置１に、画像調整項目１０６の変更内容を反映させる第２の画像調整の指示として、後に図１４に示す画像調整コマンド１１０が送信される。
【００４８】
画像処理装置１が画像調整コマンド１１０を受信すると、画像調整項目１０６の変更内容に基づいて元画像ファイル６１に対して第２の画像調整が行われ、中間画像ファイル６５が生成される。この中間画像ファイル６５から画像ファイル６６ａが生成され、同時にサムネイル画像ファイル６７ａも生成される。
そして、画像処理装置１が新たに生成された画像ファイル６６ａをファイルサーバ５に送信し、ファイルサーバ５は、すでに格納されている画像ファイル６６ｂと入れ替える。同時に、画像処理装置１が新たに生成されたサムネイル画像ファイル６７ａをＷｅｂサーバ２に送信し、Ｗｅｂサーバ２は、すでに格納されているサムネイル画像ファイル６７ｂと入れ替える。その結果、Ｗｅｂページ１０１上のサムネイル画像１０２が更新されたサムネイル画像ファイル６７ａによって再表示される。
【００４９】
次に、第１の実施の形態に関する画像処理装置１で管理する画像ファイルリスト１４３Ｌについて説明する。図１２は、第１の実施の形態に関する画像処理装置で管理する画像ファイルリストを示す説明図である。
画像ファイルリスト１４３Ｌは、画像処理装置１の画像ファイルリスト記憶部１４３に記憶される。画像ファイルリスト１４３Ｌは、元画像ファイル名６１−１、サムネイル画像ファイル名６７−１、元画像ファイル６１とサムネイル画像ファイル６７ａが記憶されているフォルダ名６８−１と、画像ファイル格納先７６からなる。画像ファイル格納先７６は、画像ファイル６６ｂを格納しているファイルサーバ５のアドレス及びフォルダ名６８−１として記憶される。
【００５０】
画像処理装置１は、元画像ファイル６１ごとにこれらのファイル名及びフォルダ名６８−１等を管理する。
画像ファイルリスト１４３Ｌは、画像ファイル６６ａ及びサムネイル画像ファイル６７ａをそれぞれファイルサーバ５、Ｗｅｂサーバ２に格納するときに、格納するフォルダ６８、６９を特定するために用いられる。
【００５１】
次に、第１の実施の形態に関するＷｅｂサーバ２で管理する画像ファイル格納先リスト２３４Ｌについて説明する。図１３は、第１の実施の形態に関するＷｅｂサーバで管理する画像ファイル格納先リストを示す説明図である。
画像ファイル格納先リスト２３４Ｌは、Ｗｅｂサーバ２の画像ファイル格納先リスト記憶部２３４に記憶される。画像ファイル格納先リスト２３４Ｌは、元画像ファイル名６１−１、画像処理装置１を特定するためのモデル名７７、シリアル番号７８及びＭＡＣアドレス７９に加え、画像ファイル格納先７６を備える。
【００５２】
画像ファイル格納先は、画像ファイル６６ｂを格納しているファイルサーバ５のアドレス及びフォルダ名６８−１として記憶される。Ｗｅｂサーバ２は、元画像ファイル６１ごとにこれらの画像処理装置１を特定するための情報及び画像ファイル格納先７６を管理する。
画像ファイル格納先リスト２３４Ｌは、画像調整コマンド１１０によって元画像ファイル６１に対して第２の画像調整を行わせるときに、画像処理装置１を特定するために用いられる。更に、画像ファイル格納先リスト２３４Ｌは、ファイルサーバ５のフォルダ６８から画像ファイル６６ｂをダウンロードするときにその画像ファイル６６ｂが格納されたフォルダ６８を特定するために用いられる。
【００５３】
次に、第１の実施の形態に関するＷｅｂサーバ２の画像調整コマンド１１０について説明する。図１４は、第１の実施の形態に関するＷｅｂサーバの画像調整コマンドを示す説明図である。
画像調整コマンド１１０は、Ｗｅｂサーバ２から画像処理装置１に第２の画像調整を指示するためのコマンドであり、以下の構成となっている。即ち、画像調整コマンド１１０には、第２の画像調整を指示する画像処理装置１を特定する情報として、画像処理装置１のモデル名７７、シリアル番号７８、ＭＡＣアドレス７９が記述される。これらの情報は、画像ファイル格納先リスト２３４Ｌのモデル名７７、シリアル番号７８、ＭＡＣアドレス７９に対応する。更に、画像調整コマンド１１０には、第２の画像調整を行う元画像ファイル名６１−１と、図１１に示すＷｅｂページ１０１の画像調整項目１０６によって変更された濃度、解像度、カラー／グレースケール／モノクロ、ファイル形式などの画像調整項目１０６の変更内容が記述されて構成される。
【００５４】
以上の構成により第１の実施の形態に関する画像処理装置１及び画像処理システム１０００は以下のように動作する。この動作を図１５〜図２０の各フローチャートを用いて以下詳細に説明する。
先ず、第１の実施の形態に関する画像処理装置１によって読取った元画像データから画像ファイル６６ａ及びサムネイル画像ファイル６７ａを生成し、それぞれファイルサーバ５及びＷｅｂサーバ２に送信するファイル送信処理を説明する。図１５は、第１の実施の形態に関する画像処理装置におけるファイル送信処理を示すフローチャートである。
【００５５】
ステップＳ１００：先ず、ユーザがＡＤＦ又は原稿台ガラス面に原稿をセットし、スキャナモードにより、モノクロ・カラースタートキー７３を押下する。すると、画像処理装置１の装置制御部１２０は、読取部１５により、カラー画像で最高解像度の画像として読取る。
ステップＳ１０１：次に、装置制御部１２０は、ステップＳ１００において読取った画像データを元画像ファイル６１として記憶部１４の画像記憶部１４０に記憶する。
ステップＳ１０２：次に、装置制御部１２０は、画像調整部１２１により、元画像ファイル６１に対してデフォルトとして設定された画像調整項目１０６の設定内容によって第２の画像調整を行い、画像ファイル６６ａとサムネイル画像ファイル６７ａを生成する。
尚、画像ファイル６６ａは、装置制御部１２０の制御のもとに、中間画像ファイル６５を経て画像ファイル生成部１２２によって生成され、記憶部１４の画像記憶部１４０に記憶される。一方、サムネイル画像ファイル６７ａは、装置制御部１２０の制御のもとに、中間画像ファイル６５を経てサムネイル画像ファイル生成部１２４によって生成され、記憶部１４の画像記憶部１４０に記憶される。
【００５６】
ステップＳ１０３：次に、装置制御部１２０は、ネットワーク通信部１８により、ステップＳ１０２によって生成された画像ファイル６６ａを、図８に示す入力欄８２に入力されたファイルサーバ５のフォルダ名６８−１のフォルダ６８に転送する。
ステップＳ１０４：次に、装置制御部１２０は、ネットワーク通信部１８により、ステップＳ１０２によって生成されたサムネイル画像ファイル６７ａを、Ｗｅｂサーバ２のフォルダ６９に転送する。このフォルダ６９は、画像ファイル６６ａを転送したフォルダ６８と同じフォルダ名６８−１のフォルダとする。
ステップＳ１０５：次に、装置制御部１２０は、Ｅメール生成部１２５により、図１０に示すダウンロードＵＲＬ９２を添付したＥメール９０を作成し、ユーザ端末４に送信する。
このときの、ユーザ端末４のＥメール送信先は、本処理を開始する前又は終了後に、ユーザが、操作部１０によって入力するか、又は入力済みのＥメールアドレスから選択する。入力されたＥメールアドレスは、記憶部１４のＥメールアドレス記憶部１４１に記憶される。
【００５７】
Ｅメール送信先のユーザ端末４に送信されたＥメール９０のデータパケットは、Ｅメールサーバ６の制御部５２０が、Ｅメール受付処理部５２１によって受け付け、Ｅメールサーバ６のユーザデータベース５３０に格納される。そして、Ｅメールサーバ６の制御部５２０は、Ｅメール配信処理部５２２により、Ｅメール送信先として入力又は選択されたユーザ端末４のＥメールアドレスにＥメール９０を配信する。
尚、本処理を終了する際に、装置制御部１２０は、図１２に示す画像ファイルリスト１４３Ｌを更新する。一方、Ｗｅｂサーバ２の制御部２２０は、ステップＳ１０４において転送されるサムネイル画像ファイル６７ａを画像記憶部２３０に格納する時に、図１３に示す画像ファイル格納先リスト２３４Ｌを更新する。
【００５８】
次に、第１の実施の形態に関する画像処理装置１が受信する画像調整コマンド１１０に基づいて第２の画像調整を行うときの動作を説明する。図１６は、第１の実施の形態に関する画像処理装置における画像調整処理を示すフローチャートである。なお、ステップＳ１００において読取った画像データは、元画像ファイル６１として画像記憶部１４０に記憶され、更に、画像ファイル６６ａ及びサムネイル画像ファイル６７ａも、画像記憶部１４０に記憶されている。
ステップＳ２００：最初に、装置制御部１２０は、ネットワーク通信部１８により、Ｗｅｂサーバ２から図１４に示す画像調整コマンド１１０を受信する。
ステップＳ２０１：すると、装置制御部１２０は、画像調整コマンド解析部１２６により、受信した画像調整コマンド１１０を解析する。即ち、装置制御部１２０は、第２の画像調整を行う元画像ファイル名６１−１及び第２の画像調整を行う画像調整項目１０６の設定内容等を解析する。
ステップＳ２０２：次に、装置制御部１２０は、画像調整部１２１により、解析された元画像ファイル名６１−１の元画像ファイル６１に対し、解析された画像調整項目１０６の設定内容に基づいて濃度調整、解像度調整、カラー・モノクロ変換などの第２の画像調整を実行し、中間画像ファイル６５を生成する。
【００５９】
ステップＳ２０３：次に、装置制御部１２０は、画像ファイル生成部１２２により、ステップＳ２０２において生成された中間画像ファイル６５から画像ファイル６６ａを生成し、画像記憶部１４０に記憶する。同時に、装置制御部１２０は、サムネイル画像ファイル生成部１２４により、中間画像ファイル６５からサムネイル画像ファイル６７ａを生成し、画像記憶部１４０に記憶する。
ステップＳ２０４：次に、装置制御部１２０は、ネットワーク通信部１８により、ステップＳ２０３において生成した画像ファイル６６aをファイルサーバ５のフォルダ６８に送信する。この送信先は、図１２に示す画像ファイルリスト１４３Ｌにより、元画像ファイル名６１−１に対応する画像ファイル格納先７６によって特定される。
ステップＳ２０５：次に、装置制御部１２０は、ネットワーク通信部１８により、ステップＳ２０３において生成したサムネイル画像ファイル６７ａを、Ｗｅｂサーバ２に送信する。この送信先は、図１２に示す画像ファイルリスト１４３Ｌにより、元画像ファイル名６１−１に対応するフォルダ名６８−１によって特定される。
【００６０】
次に、第１の実施の形態に関するＷｅｂサーバ２における画像調整に関する動作を説明する。図１７は、第１の実施の形態に関するＷｅｂサーバにおける画像調整処理を示すフローチャートである。
先ず、ユーザは、ユーザ端末４の操作部３０を操作することにより、操作部３０に表示された図１１に示すＷｅｂページ１０１より濃度、解像度、カラー／グレースケール／モノクロ、ファイル形式などの画像調整項目１０６について変更することにより第１の画像調整を行う。そして、ユーザは「ダウンロード」ボタン１０３又は「プレビュー」ボタン１０４を押下する。このとき、ユーザ端末４からＷｅｂサーバ２に画像調整項目１０６の変更内容が送信される。
ステップＳ３００：すると、Ｗｅｂサーバ２の制御部２２０は、ネットワーク通信部２４により、ユーザ端末４から送信された画像調整項目１０６の変更内容を第１の画像調整の指示として受信する。
ステップＳ３０１：第１の画像調整の指示を受信すると、制御部２２０は、画像調整コマンド生成部２２４により、図１４に示す画像調整コマンド１１０を作成する。
ステップＳ３０２：そして、制御部２２０は、画像ファイル更新部２２３により、作成した画像調整コマンド１１０をネットワーク通信部２４を介して画像処理装置１に送信する。
【００６１】
ステップＳ３０３：次に、制御部２２０は、送信した画像調整コマンド１１０に対し画像処理装置１において第２の画像調整がされてＷｅｂサーバ２へ送信されてくるサムネイル画像ファイル６７ａを受信したかどうかを判定する。
そして、制御部２２０は、画像処理装置１から送信されるサムネイル画像ファイル６７ａを受信したときは、ステップＳ３０４に移行する。一方、画像処理装置１から送信されるサムネイル画像ファイル６７ａを受信していないときは、制御部２２０は、受信するまで上記判定を繰返す。
ステップＳ３０４：制御部２２０は、画像記憶部２３０に記憶されている第２の画像調整前のサムネイル画像ファイル６７ｂを、第２の画像調整後の受信したサムネイル画像ファイル６７ａに入れ替える。
ステップＳ３０５：制御部２２０は、Ｗｅｂサーバ部２２１により、サムネイル画像１０２を第２の画像調整後のサムネイル画像ファイル６７ｂのサムネイル画像１０２とした新たなＷｅｂページ１０１を作成する。そして、リロードとしてユーザ端末４に作成した新たなＷｅｂページ１０１を送信する。
【００６２】
次に、第１の実施の形態に関する画像処理システム１０００の動作において、図１１に示すＷｅｂページ１０１で画像ファイル６６ｂのプレビューを実行するときの動作を説明する。図１８は、第１の実施の形態に関する画像処理システムにおける画像ファイルのプレビュー処理を示すフローチャートである。
ステップＳ４００：先ず、ユーザが、画像処理装置１から送信された図１０に示すＥメール９０のダウンロードＵＲＬ９２をクリックする。すると、ユーザ端末４の制御部３２０は、操作部３０によりこのクリックを受付ける。そして、ユーザ端末４の制御部３２０は、Ｗｅｂブラウザ処理部３２１により、Ｗｅｂブラウザ１００を起動する。
そして、制御部３２０は、ネットワーク通信部３４を介して、ダウンロードＵＲＬ９２のＷｅｂページ１０１をユーザ端末４に送信させる要求、即ち、Ｗｅｂページ送信要求をＷｅｂサーバ２に送信する。
ステップＳ４０１：次に、このＷｅｂページ送信要求に対し、Ｗｅｂサーバ２の制御部２２０は、Ｗｅｂサーバ部２２１により、ＨＴＭＬ形式でＷｅｂページデータをユーザ端末４に送信する。
ステップＳ４０２：ユーザ端末４の制御部３２０は、Ｗｅｂブラウザ処理部３２１により、受信したＷｅｂページデータに基づいて図１１に示すＷｅｂページ１０１を操作部３０に表示する。
【００６３】
ステップＳ４０３：ユーザは、Ｗｅｂページ１０１のサムネイル画像１０２を見て、濃度、解像度、カラー／グレースケール／モノクロなどの第１の画像調整を行う。例えば、ユーザ端末４の入力装置であるマウス又はキーボードを使用してカーソルを、濃度を０から＋１に移動し、濃度を上げる変更を行う。すると、ユーザ端末４の制御部３２０は、操作部３０によりこの第１の画像調整を受付ける。
ステップＳ４０４：そして、ユーザは、図１１に示すＷｅｂページ１０１の「プレビュー」ボタンをマウス又はキーボードで選択する。すると、ユーザ端末４の制御部３２０は、操作部３０によりこれを受付ける。そして、ユーザ端末４の制御部３２０は、プレビュー実行部３２２により、ネットワーク通信部３４を介してＷｅｂブラウザ１００からＷｅｂサーバ２にプレビュー要求を送信する。なお、このプレビュー要求には、ステップＳ４０３においてユーザが変更した画像調整項目１０６の変更内容が含まれる。
【００６４】
ステップＳ４０５：Ｗｅｂサーバ２の制御部２２０は、Ｗｅｂブラウザ１００からのプレビュー要求を受信すると、画像調整コマンド生成部２２４により、図１４に示す画像調整コマンド１１０を作成する。なお、画像調整コマンド１１０は、ステップＳ４０３においてユーザが変更した画像調整項目１０６の変更内容に基づいて作成する。
そして、制御部２２０は、画像ファイル更新部２２３により、作成された画像調整コマンド１１０を画像処理装置１に送信する。
【００６５】
ステップＳ４０６：画像調整コマンド１１０を受信した画像処理装置１の装置制御部１２０は、画像調整部１２１により、元画像ファイル６１に対して第２の画像調整を実行する。そして、画像ファイル６６ａとサムネイル画像ファイル６７ａを生成し、画像記憶部１４０に記憶する。
次に、画像処理装置１の装置制御部１２０は、ネットワーク通信部１８を介して、画像ファイル６６ａをファイルサーバ５に送信する。この送信先は、図１２に示す画像ファイルリスト１４３Ｌにより、元画像ファイル名６１−１に対する画像ファイル格納先によって特定する。
同時に、画像処理装置１の装置制御部１２０は、ネットワーク通信部１８を介して、サムネイル画像ファイル６７ａをＷｅｂサーバ２に送信する。この送信先は、図１２に示す画像ファイルリスト１４３Ｌにより、元画像ファイル名６１−１に対するフォルダ名６８−１によって特定する。
【００６６】
ステップＳ４０７：画像ファイル６６ａを受信したファイルサーバ５の制御部４２０は、画像ファイル更新実行部４２２により、画像格納部４３に格納されている第２の画像調整前の画像ファイル６６ｂを、受信した第２の画像調整後の画像ファイル６６ａに入れ替えて更新する。
ステップＳ４０８：また、サムネイル画像ファイル６７ａを受信したＷｅｂサーバ２の制御部２２０は、画像ファイル更新部２２３により、画像記憶部２３０に記憶されている第２の画像調整前のサムネイル画像ファイル６７ｂを、受信した第２の画像調整後のサムネイル画像ファイル６７ａに入れ替えて更新する。
【００６７】
Ｗｅｂサーバ２の制御部２２０は、Ｗｅｂサーバ部２２１により、サムネイル画像１０２を、受信したサムネイル画像ファイル６７ａに基づくサムネイル画像１０２に入れ替えたＷｅｂページデータを作成する。そして、作成したＷｅｂページデータをリロードとしてユーザ端末４に送信する。
ステップＳ４０９：ユーザ端末４の制御部３２０は、Ｗｅｂブラウザ処理部３２１により、Ｗｅｂページ１０１を再表示する。これにより、第１の画像調整時又は第１の画像調整後にサムネイル画像１０２が第１の画像調整後の画像として表示される。
【００６８】
尚、以上説明したプレビュー処理では、Ｗｅｂページ１０１において、ユーザが画像調整項目１０６の設定内容を変更し「プレビュー」ボタン１０４を押下した時に、画像処理装置１においてサムネイル画像１０２を更新するように説明したが、以下のようにしてもよい。
即ち、Ｗｅｂサーバ２のサムネイル画像調整部２２２を用いる。ユーザがＷｅｂページ１０１上で画像調整項目１０６の設定内容を変更するごとに、Ｗｅｂサーバ２の制御部２２０は、サムネイル画像調整部２２２により、その変更内容をＷｅｂページ１０１上のサムネイル画像１０２に直接反映させるようにする。このようにすることにより、画像調整項目１０６の設定内容を変更するごとに、所望の画像調整かどうかを確認することができる。
【００６９】
次に、第１の実施の形態に関する画像処理システム１０００の動作において、Ｗｅｂページ１０１で画像ファイル６６ｂのダウンロードを実行するときの動作を説明する。図１９は、第１の実施の形態に関する画像処理システムにおける画像ファイルのダウンロード処理を示すフローチャートである。
ステップＳ５００：先ず、ユーザが、画像処理装置１から送信された図１０に示すＥメール９０に添付されたダウンロードＵＲＬ９２をクリックする。すると、ユーザ端末４の制御部３２０は、操作部３０によりこのクリックを受付ける。そして、ユーザ端末４の制御部３２０は、Ｗｅｂブラウザ処理部３２１により、Ｗｅｂブラウザ１００を起動する。
そして、ユーザ端末４の制御部３２０は、ダウンロードＵＲＬ９２のＷｅｂページ１０１をユーザ端末４に送信させる要求、即ち、Ｗｅｂページ送信要求をＷｅｂサーバ２に送信する。
ステップＳ５０１：このＷｅｂページ送信要求に対し、Ｗｅｂサーバ２の制御部２２０は、Ｗｅｂサーバ部２２１により、ＨＴＭＬ形式でＷｅｂページデータをユーザ端末４に送信する。
【００７０】
ステップＳ５０２：ユーザ端末４の制御部３２０は、ネットワーク通信部３４によりこれを受信すると、Ｗｅｂブラウザ処理部３２１により、受信したＷｅｂページデータによって図１１に示すＷｅｂページ１０１を操作部３０に表示する。
ステップＳ５０３：ユーザは、Ｗｅｂページ１０１のサムネイル画像１０２を確認し、「ダウンロード」ボタン１０３をマウス又はキーボードで選択する。
すると、ユーザ端末４の制御部３２０は、操作部３０によりこれを受付ける。そして、ユーザ端末４の制御部３２０は、画像ファイルダウンロード実行部３２３により、Ｗｅｂブラウザ１００からファイルサーバ５に画像ファイルダウンロード要求を送信する。
ステップＳ５０４：画像ファイルダウンロード要求を受信すると、ファイルサーバ５の制御部４２０は、ネットワーク通信部４４によりこれを受信すると、画像ファイルダウンロード処理部４２１により、Ｗｅｂページ１０１によりユーザが指定した画像ファイル６６ｂをユーザ端末４に送信する。
ユーザ端末４の制御部３２０は、画像ファイルダウンロード実行部３２３により、ユーザが指定した画像ファイル６６ｂをファイルサーバ５からダウンロードファイルとして取得する。
【００７１】
次に、第１の実施の形態に関する画像処理システム１０００において、Ｗｅｂページ１０１で第１の画像調整を行った後、プレビューを行うことなく画像ファイル６６ｂをダウンロードする動作を説明する。図２０は、第１の実施の形態に関する画像処理システムにおける画像調整を伴う画像ファイルのダウンロード処理を示すフローチャートである。
ステップＳ６００：先ず、ユーザが、画像処理装置１から送信された図１０に示すＥメール９０のダウンロードＵＲＬ９２をクリックする。すると、ユーザ端末４の制御部３２０は、操作部３０によりこれを受付ける。そして、ユーザ端末４の制御部３２０は、Ｗｅｂブラウザ処理部３２１により、Ｗｅｂブラウザ１００を起動する。そして、ダウンロードＵＲＬ９２のＷｅｂページ１０１をユーザ端末４に送信させる要求、即ち、Ｗｅｂページ送信要求をＷｅｂサーバ２に送信する。
【００７２】
ステップＳ６０１：このＷｅｂページ送信要求に対し、Ｗｅｂサーバ２の制御部２２０は、Ｗｅｂサーバ部２２１により、ＨＴＭＬ形式でＷｅｂページデータをユーザ端末４に送信する。
ステップＳ６０２：ユーザ端末４の制御部３２０は、ネットワーク通信部３４によりこれを受信すると、Ｗｅｂブラウザ処理部３２１により、受信したＷｅｂページデータによって図１１に示すＷｅｂページ１０１を操作部３０に表示する。
【００７３】
ステップＳ６０３：ユーザは、Ｗｅｂページ１０１のサムネイル画像１０２を見て、濃度、解像度、カラー／グレースケール／モノクロなどの画像調整項目１０６に対し第１の画像調整を行う。例えば、ユーザ端末４の入力装置であるマウス、キーボードを使用してカーソルを、濃度を０から＋１に移動し、濃度を上げる変更を行う。すると、ユーザ端末４の制御部３２０は、操作部３０によりこの第１の画像調整を受付ける。
ステップＳ６０４：そして、ユーザは、図１１に示すＷｅｂページ１０１の「ダウンロード」ボタンをマウス又はキーボードで選択する。すると、ユーザ端末４の制御部３２０は、操作部３０によりこれを受付ける。そして、ユーザ端末４の制御部３２０は、Ｗｅｂブラウザ処理部３２１により、ネットワーク制御部３４を介してＷｅｂサーバ２に第２の画像調整要求を送信する。
ステップＳ６０５：Ｗｅｂサーバ２の制御部２２０は第２の画像調整要求を受信すると、画像調整コマンド生成部２２４により、図１４に示す画像調整コマンド１１０を作成する。そして、制御部２２０は、画像ファイル更新部２２３により、作成された画像調整コマンド１１０を画像処理装置１に送信する。
【００７４】
ステップＳ６０６：画像調整コマンド１１０を受信した画像処理装置１の装置制御部１２０は、画像調整部１２１により元画像ファイル６１に対して第２の画像調整を行う。そして、画像ファイル６６ａとサムネイル画像ファイル６７ａを生成し、画像記憶部１４０に記憶する。
次に、画像処理装置１の装置制御部１２０は、ネットワーク通信部１８により、画像ファイル６６ａをファイルサーバ５に送信する。この送信先は、図１２に示す画像ファイルリスト１４３Ｌにより、元画像ファイル名６１−１に対応する画像ファイル格納先７６によって特定される。
同時に、画像処理装置１の装置制御部１２０は、ネットワーク通信部１８により、サムネイル画像ファイル６７ａをＷｅｂサーバ２に送信する。この送信先は、図１２に示す画像ファイルリスト１４３Ｌにより、元画像ファイル名６１−１に対応するフォルダ名６８−１によって特定される。
【００７５】
ステップＳ６０７：画像ファイル６６ａを受信したファイルサーバ５の制御部４２０は、画像ファイル更新実行部４２２により、画像格納部４３に格納されている既存の第２の画像調整前の画像ファイル６６ｂを、受信した第２の画像調整後の画像ファイル６６ａに入れ替えて更新する。
ステップＳ６０８：また、サムネイル画像ファイル６７ａを受信したＷｅｂサーバ２の制御部２２０は、画像ファイル更新部２２３により、画像記憶部２３０に記憶されている既存の第２の画像調整前のサムネイル画像ファイル６７ｂを、受信した第２の画像調整後のサムネイル画像ファイル６７ａに入れ替えて更新する。
【００７６】
ステップＳ６０９：ファイルサーバ５の制御部４２０は、画像ファイル更新部２２３による画像ファイルの入替えが完了すると、ネットワーク通信部４４を介して、画像ファイル入替え完了の通知をユーザ端末４のＷｅｂブラウザ１００に送信する。
ステップＳ６１０：ユーザ端末４の制御部３２０は、画像ファイル入替え完了の通知を受信すると、画像ファイルダウンロード実行部３２３により、Ｗｅｂブラウザ１００からファイルサーバ５に画像ファイルダウンロード要求を送信する。
ステップＳ６１１：Ｗｅｂサーバ２の制御部２２０は、画像ファイル更新部２２３により、サムネイル画像ファイル６７ｂの入替えが完了すると、Ｗｅｂページデータをユーザ端末４に送信する。
【００７７】
ステップＳ６１２：Ｗｅｂページデータを受信したユーザ端末４の制御部３２０は、Ｗｅｂブラウザ処理部３２１により、Ｗｅｂページ１０１を再表示する。このとき、サムネイル画像１０２は第１の画像調整時又は第１の画像調整後の画像として表示される。
ステップＳ６１３：一方、ファイルサーバ５の制御部４２０は、画像ファイルダウンロード要求を受信すると、画像ファイルダウンロード処理部４２１により、Ｗｅｂページ１０１によりユーザが指定した画像ファイル６６ｂをユーザ端末４に送信する。ユーザ端末４の制御部３２０は、画像ファイルダウンロード実行部３２３により、ユーザが指定した画像ファイル６６ｂをファイルサーバ５からダウンロードファイルとして取得する。
【００７８】
以上のように、第１の実施の形態に関する画像処理装置及び画像処理システムによれば、前記Ｗｅｂサーバ２は、前記Ｗｅｂページ１０１に表示する前記サムネイル画像ファイル６７のサムネイル画像１０２及び画像調整項目１０６を前記ユーザ端末４に送信し、前記ユーザ端末４は、前記Ｗｅｂサーバ２から送信される前記サムネイル画像１０２及び前記画像調整項目１０６を前記Ｗｅｂページ１０１に表示することとしたので、画像調整の都度、ユーザ端末４に画像ファイルをダウンロードする必要がなく、ユーザ端末４から簡単に画像調整が可能となる。
また、ユーザ端末４のＷｅｂページ１０１の「プレビュー」ボタンを設けることにより、第１の画像調整時にサムネイル画像１０２により第１の画像調整の効果の確認を行なうことができるとともに、第１の画像調整後には画像ファイル６６をダウンロードすることができ、画像ファイル６６により第１の画像調整の効果を確認することができる。また、同時に、サムネイル画像１０２を利用して第１の画像調整を行うことにより、画像処理装置１及び画像処理システム１０００のネットワーク負荷も少なくすることができる。
【００７９】
（第１の実施の形態の変形例）
以上の実施の形態に関する画像処理装置及び画像処理システムの説明では、本発明をＭＦＰとしての画像処理装置に適用する例を示したが、コピー機、ファクシミリ装置等の画像処理装置にも適用することができる。
また、以上の実施の形態に関する画像処理装置及び画像処理システムの説明では、サムネイル画像ファイル６７ｂをＷｅｂサーバ２に格納するように説明したが、以下のようにしてもよい。
【００８０】
即ち、ファイルサーバ５に画像ファイル６６ｂとともにサムネイル画像ファイル６７ｂを格納しておく。そして、Ｗｅｂサーバ２の制御部２２０が、Ｗｅｂサーバ部２２１によって、Ｗｅｂページデータをユーザ端末４に送信する際に、サムネイル画像ファイル６７ｂをファイルサーバ５から取得するようにしてもよい。
或いは、サムネイル画像ファイル６７ａをＷｅｂサーバ２に格納するのではなく画像処理装置１の画像記憶部１４０のみに記憶しておく。そして、Ｗｅｂサーバ２の制御部２２０が、Ｗｅｂサーバ部２２１によって、Ｗｅｂページデータをユーザ端末４に送信する際に、サムネイル画像ファイル６７ａを画像処理装置１の画像記憶部１４０から取得するようにしてもよい。
【符号の説明】
【００８１】
１      画像処理装置
２      Ｗｅｂサーバ
３      ネットワーク
４      ユーザ端末
５      ファイルサーバ
１５    読取部
１８    ネットワーク通信部
６１    元画像ファイル
６５    中間画像ファイル
６６    画像ファイル
６７    サムネイル画像ファイル
１００  Ｗｅｂブラウザ
１０１  Ｗｅｂページ
１０２  サムネイル画像
１１０  画像調整コマンド
【図１】
2017084192.tif 000003
【図２】
2017084192.tif 000004
【図３】
2017084192.tif 000005
【図４】
2017084192.tif 000006
【図５】
2017084192.tif 000007
【図６】
2017084192.tif 000008
【図７】
2017084192.tif 000009
【図８】
2017084192.tif 000010
【図９】
2017084192.tif 000011
【図１０】
2017084192.tif 000012
【図１１】
2017084192.tif 000013
【図１２】
2017084192.tif 000014
【図１３】
2017084192.tif 000015
【図１４】
2017084192.tif 000016
【図１５】
2017084192.tif 000017
【図１６】
2017084192.tif 000018
【図１７】
2017084192.tif 000019
【図１８】
2017084192.tif 000020
【図１９】
2017084192.tif 000021
【図２０】
2017084192.tif 000022